(57)【要約】      （修正有）【課題】シリアルＡＴＡ規格およびｉＶＤＲ規格の装置に共用して接続され、コストの低減を図ることができるコネクタおよび情報処理装置を提供する。【解決手段】コネクタ１は、装置の外部に設けられたインタフェース接続部２１，３１に対して接続されるコネクタであって、ｉＶＤＲ規格およびシリアルＡＴＡ規格に共通するインタフェース用の複数の端子からなる端子部２を少なくとも備え、シリアルＡＴＡ規格のインタフェース接続部３１と接続される場合に、当該インタフェース接続部３１に設けられた凸部３２ａ，３３ａが挿入される逃げ溝３，４を、端子部２に凹設したことを特徴とする。【選択図】図１
2010244853.tif 000002
【特許請求の範囲】
【請求項１】
装置の外部に設けられたインタフェース接続部に対して接続されるコネクタであって、
ｉＶＤＲ規格およびシリアルＡＴＡ規格に共通するインタフェース用の複数の端子からなる端子部を少なくとも備え、
シリアルＡＴＡ規格の前記インタフェース接続部と接続される場合に、当該インタフェース接続部に設けられた凸部が挿入される逃げ溝を、前記端子部に凹設したことを特徴とするコネクタ。
【請求項２】
前記逃げ溝には、ｉＶＤＲ規格で配列されたインタフェース用の追加端子が出没自在に配置されており、
前記追加端子は、
ｉＶＤＲ規格の前記インタフェース接続部と接続される場合に、
前記逃げ溝から突出して前記インタフェース接続部の対応する部位に接続されるとともに、
シリアルＡＴＡ規格の前記インタフェース接続部と接続される場合に、
突出位置から没位置に移動して、前記凸部の挿入を許容することを特徴とする請求項１に記載のコネクタ。
【請求項３】
前記追加端子を没位置から突出位置に付勢する付勢手段を備え、
シリアルＡＴＡ規格の前記インタフェース接続部と接続される場合に、
前記追加端子が前記凸部に押圧されて突出位置から没位置に移動するとともに、
前記インタフェース接続部との接続が解除される場合に、
前記付勢手段によって、前記追加端子が没位置から突出位置に戻されることを特徴とする請求項２に記載のコネクタ。
【請求項４】
請求項１から請求項３のいずれか１項に記載のコネクタを用いた情報処理装置であって、
ｉＶＤＲ規格に対応した第１入力部と、シリアルＡＴＡ規格に対応した第２入力部と、を備え、
前記第１入力部または前記第２入力部を選択する入力選択部を具備したことを特徴とする情報処理装置。
【請求項５】
前記装置側に備わる規格識別情報を検出して、当該装置の前記インタフェース接続部が、ｉＶＤＲ規格であるのかシリアルＡＴＡ規格であるのかを識別する識別手段を備え、
前記入力選択部は、前記識別手段で識別した規格に基づいて前記第１入力部または前記第２入力部を選択することを特徴とする請求項４に記載の情報処理装置。
【請求項６】
前記識別手段は、前記装置側に設けられた規格識別部位に当接することで、ｉＶＤＲ規格であるのかシリアルＡＴＡ規格であるのかを識別する識別スイッチであり、
前記入力選択部は、前記識別スイッチからの信号に基づいて前記第１入力部または前記第２入力部を選択することを特徴とする請求項５に記載の情報処理装置。
【請求項７】
前記識別手段は、前記装置側から発せられた信号によりｉＶＤＲ規格であるのかシリアルＡＴＡ規格であるのかを識別する識別回路であり、
前記入力選択部は、前記識別回路からの信号に基づいて識別された前記装置に規定された電源を供給した後に前記第１入力部または前記第２入力部を選択することを特徴とする請求項５に記載の情報処理装置。
【発明の詳細な説明】
【技術分野】
【０００１】
本発明は、コネクタおよび情報処理装置に関するものである。
【背景技術】
【０００２】
従来、パーソナルコンピュータ等の情報処理装置やパーソナルコンピュータ等に接続される情報処理装置の接続規格として、シリアルＡＴＡ（ＳＡＴＡ）という規格がある。また、著作権を保護する機能を備えた接続規格としてｉＶＤＲ（Information Versatile Disk for Removable usage）という規格がある（非特許文献１参照）。
これらの規格における違いは、著作権保護に関する制御系コマンドの有無の他、それぞれの接続コネクタの物理的形状が異なることと、信号の互換部分と信号の非互換部分が存在することが挙げられる。
【先行技術文献】
【非特許文献】
【０００３】
【非特許文献１】ｉＶＤＲコンソーシアム、“ｉＶＤＲについて”、［online］、ｉＶＤＲコンソーシアム、[平成２０年１２月１５日検索］、インターネット＜URL：http://www.ivdr.org/iVDR/ivdr_j.html＞
【発明の概要】
【発明が解決しようとする課題】
【０００４】
ところで、前記のように、シリアルＡＴＡ規格とｉＶＤＲ規格とでは、それぞれの接続コネクタの物理的形状が異なることから、これらの両方の規格の装置を使用するためには、それぞれの規格に対応したコネクタを、パーソナルコンピュータ等の情報処理装置やパーソナルコンピュータ等に接続される情報処理装置に対して設けたり、規格毎に情報処理装置を用意したりする必要があった。このため、煩雑であるとともに、コストがかかるという問題があった。
【０００５】
本発明は、シリアルＡＴＡ規格およびｉＶＤＲ規格の装置に共用して接続され、コストの低減を図ることができるコネクタおよび情報処理装置を提供することを課題とする。
【課題を解決するための手段】
【０００６】
前記課題を解決した本発明のコネクタは、装置の外部に設けられたインタフェース接続部に対して接続されるコネクタであって、ｉＶＤＲ規格およびシリアルＡＴＡ規格に共通するインタフェース用の複数の端子からなる端子部を少なくとも備え、シリアルＡＴＡ規格の前記インタフェース接続部と接続される場合に、当該インタフェース接続部に設けられた凸部が挿入される逃げ溝を、前記端子部に凹設したことを特徴とする。
【０００７】
本発明のコネクタによれば、ｉＶＤＲ規格およびシリアルＡＴＡ規格に共通するインタフェース用の複数の端子からなる端子部を少なくとも備えているので、ｉＶＤＲ規格およびシリアルＡＴＡ規格の装置に共用して接続することができ、これらの装置との間で信号の入出力を行うことができる。
【０００８】
端子部には、シリアルＡＴＡ規格のインタフェース接続部に設けられた凸部が挿入される逃げ溝が凹設されているので、シリアルＡＴＡ規格のインタフェース接続部を有する装置を接続する際には、この逃げ溝に、当該凸部を位置合わせして挿入することにより、逃げ溝内に当該凸部を逃がすことができ、これによってシリアルＡＴＡ規格のインタフェース接続部を接続することができる。
【０００９】
また、本発明は、前記逃げ溝には、ｉＶＤＲ規格で配列されたインタフェース用の追加端子が出没自在に配置されており、前記追加端子は、ｉＶＤＲ規格の前記インタフェース接続部と接続される場合に、前記逃げ溝から突出して前記インタフェース接続部の対応する部位に接続されるとともに、シリアルＡＴＡ規格の前記インタフェース接続部と接続される場合に、突出位置から没位置に移動して、前記凸部の挿入を許容する構成とするのがよい。
【００１０】
このコネクタによれば、逃げ溝に出没自在に配置された追加端子が、逃げ溝から突出してｉＶＤＲ規格のインタフェース接続部の対応する部位に接続される位置と、突出位置から没位置に移動して、シリアルＡＴＡ規格のインタフェース接続部の凸部の挿入を許容する位置とを採り得るので、ｉＶＤＲ規格およびシリアルＡＴＡ規格のインタフェース接続部との接続を可能とするとともに、ｉＶＤＲ規格において追加端子を活用した信号の入出力も可能となる。これにより、ｉＶＤＲ規格に基づくインタフェース接続部の全ての端子を用いた信号の入出力が可能となり拡張性の高い接続が可能となる。
【００１１】
また、本発明は、前記追加端子を没位置から突出位置に付勢する付勢手段を備え、シリアルＡＴＡ規格の前記インタフェース接続部と接続される場合に、前記追加端子が前記凸部に押圧されて突出位置から没位置に移動するとともに、前記インタフェース接続部との接続が解除される場合に、前記付勢手段によって、前記追加端子が没位置から突出位置に戻される構成とするのがよい。
【００１２】
このコネクタによれば、追加端子は、シリアルＡＴＡ規格のインタフェース接続部と接続される場合に、その接続に係る一連の動作の中で当該インタフェース接続部の凸部に押圧されて突出位置から没位置に移動し、逃げ溝内への凸部の挿入を許容する。また、当該インタフェース接続部との接続が解除される場合に、その解除に係る一連の動作の中で凸部が逃げ溝内から引き抜かれると、これに連動して付勢手段により没位置から突出位置に移動する。したがって、シリアルＡＴＡ規格のインタフェース接続部を有する装置を接続する際および接続の解除を行う際に、特別な操作を要することなく追加端子を突出位置と没位置との間で移動させることができ、その分、シリアルＡＴＡ規格のインタフェース接続部に対する着脱操作をスムーズに行うことができる。
【００１３】
また、本発明の情報処理装置は、前記コネクタを用いた情報処理装置であって、ｉＶＤＲ規格に対応した第１入力部と、シリアルＡＴＡ規格に対応した第２入力部と、を備え、前記第１入力部または前記第２入力部を選択する入力選択部を具備したことを特徴とする。
【００１４】
この情報処理装置によれば、入力選択部をｉＶＤＲ規格に対応した第１入力部、またはシリアルＡＴＡ規格に対応した第２入力部に切り替えることによって、ｉＶＤＲ規格に対応した信号の入出力またはシリアルＡＴＡ規格に対応した信号の入出力を行うことができ、１台で２つの規格に対応した信号の入出力を行うことができる情報処理装置を安価に得ることができる。
【００１５】
また、本発明は、前記装置側に備わる規格識別情報を検出して、当該装置の前記インタフェース部が、ｉＶＤＲ規格であるのかシリアルＡＴＡ規格であるのかを識別する識別手段を備え、前記入力選択部は、前記識別手段で識別した規格に基づいて前記第１入力部または前記第２入力部を選択する構成とするのがよい。
【００１６】
この情報処理装置によれば、識別手段は、装置側に備わる規格識別情報を検出して、当該装置の前記インタフェース部の規格が、ｉＶＤＲ規格であるのかシリアルＡＴＡ規格であるのかを識別する。そして、入力選択部は、識別手段によって識別された規格に基づいて、第１入力部または第２入力部を選択する。
これによって、装置を接続することで装置側に備わる規格識別情報を利用した入力部の選択が自動的に行われ、選択された規格に基づく信号の入出力を行うことができる。
【００１７】
また、本発明は、前記識別手段が、前記装置側に設けられた規格識別部位に当接することで、ｉＶＤＲ規格であるのかシリアルＡＴＡ規格であるのかを識別する識別スイッチであり、前記入力選択部は、前記識別スイッチからの信号に基づいて前記第１入力部または前記第２入力部を選択する構成とするのがよい。
【００１８】
この情報処理装置によれば、識別スイッチが、装置側に設けられた規格識別部位に当接して、ｉＶＤＲ規格であるのかシリアルＡＴＡ規格であるのかを識別し、入力選択部が、識別スイッチからの信号に基づいて第１入力部または第２入力部を選択するようになっているので、規格の識別が簡単であり、識別した規格に対応する入力が行われるように入力部を選択する構成を、低コストで実現することができる。
【００１９】
また、本発明は、前記識別手段は、前記装置側から発せられた信号によりｉＶＤＲ規格であるのかシリアルＡＴＡ規格であるのかを識別する識別回路であり、前記入力選択部は、前記識別回路からの信号に基づいて識別された前記装置に規定された電源を供給した後に前記第１入力部または前記第２入力部を選択することを特徴とする。
【００２０】
この情報処理装置によれば、識別回路が、装置側から発せられた信号により、ｉＶＤＲ規格であるのかシリアルＡＴＡ規格であるのかを識別し、入力選択部が、識別回路からの信号に基づいて識別された装置に規定された電源を供給した後に第１入力部または第２入力部を選択するようになっているので、規格の識別を識別スイッチ等の識別手段によるオンオフによらずに電気的に行うことができ、規格の識別がより簡単であり、識別した規格に対応する入力が行われるように入力部を選択する構成を、低コストで実現することができる。
【発明の効果】
【００２１】
本発明によれば、シリアルＡＴＡ規格とｉＶＤＲ規格の装置を共用して接続することができ、コストの低減を図ることができるコネクタおよび情報処理装置が得られる。
また、本発明によれば、装置の使用者は、シリアルＡＴＡ規格あるいはｉＶＤＲ規格のどちらの装置であっても自動的に認識されるので、どちらの規格であるのかを何ら意識することなく装着、接続して使用することができる。したがって、装置に対する専門知識も不要であり、また、使い勝手等の利便性もより向上する。
【図面の簡単な説明】
【００２２】
【図１】本発明の第１実施形態に係るコネクタを用いた情報処理装置およびこれに接続される装置を示す斜視図である。
【図２】コネクタの拡大正面図である。
【図３】（ａ）はｉＶＤＲ規格のインタフェース接続部を接続したときの状態を示す説明図、（ｂ）はシリアルＡＴＡ規格のインタフェース接続部を接続したときの状態を示す説明図である。
【図４】端子の割り当てを示す表である。
【図５】制御装置を示すブロック図である。
【図６】（ａ）、（ｂ）はスイッチの作動状態を示す模式説明図である。
【図７】コネクタのその他の例を示す一部切り欠き斜視図である。
【図８】その他の例のコネクタに係る図であり、（ａ）はｉＶＤＲ規格のインタフェース接続部を接続したときの状態を示す説明図、（ｂ）はシリアルＡＴＡ規格のインタフェース接続部を接続したときの状態を示す説明図である。
【図９】（ａ）は本発明の第２実施形態に係るコネクタの分解斜視図、（ｂ）は組み立てた状態の斜視図、（ｃ）は図９（ｂ）におけるｂ１−ｂ１線断面図である。
【図１０】（ａ）はｉＶＤＲ規格のインタフェース接続部を接続したときの状態を示す説明図、（ｂ）はシリアルＡＴＡ規格のインタフェース接続部を接続したときの状態を示す説明図である。
【図１１】（ａ）はその他のコネクタの分解斜視図、（ｂ）は組み立てた状態の斜視図、（ｃ）は図９（ｂ）におけるｂ１−ｂ１線断面図である。
【図１２】（ａ）はｉＶＤＲ規格のインタフェース接続部を接続したときの状態を示す説明図、（ｂ）はシリアルＡＴＡ規格のインタフェース接続部を接続したときの状態を示す説明図である。
【発明を実施するための形態】
【００２３】
以下、図面を参照して、本発明の実施形態に係るコネクタおよび情報処理装置について説明する。
（第１実施形態）
参照する図面において、図１は本発明の第１実施形態に係るコネクタを用いた情報処理装置である。
なお、以下の説明において、「前後左右上下」は、図１において情報処理装置の一例であるアダプタ装置１０に図示した方向を基準とする。なお、アダプタ装置１０に接続される装置として、ハードディスクドライブ等を内蔵するドライブ装置（記憶装置）を例にとって説明するが、これを限定する趣旨ではない。また、情報処理装置としては、パーソナルコンピュータ等が挙げられる他、パーソナルコンピュータ等に接続される録画・再生装置やその他の入出力を行う装置等が挙げられる。
【００２４】
図１に示す本実施形態のコネクタ１は、情報処理装置としてのアダプタ装置１０に備わる。アダプタ装置１０は、これに接続されるｉＶＤＲ規格のインタフェース接続部２１を有する記憶装置２０、およびシリアルＡＴＡ規格のインタフェース接続部３１を有する記憶装置３０を、図示しないホストコンピュータ等に接続するための接続機能を有する装置である。記憶装置２０，３０は、いずれも、大容量の記憶媒体として、磁気記憶媒体であるハードディスクドライブを内蔵している。
本実施形態では、５Ｖ電源で駆動する２．５型のハードディスクドライブを内蔵したものを例にとって説明するが、大容量の記憶媒体を限定する趣旨ではなく、３．５型等のハードディスクドライブやＳＳＤ（Solid State Drive）を内蔵したものでもよい。なお、アダプタ装置１０の詳細は後記する。
【００２５】
コネクタ１は、シリアルタイプのコネクタであり、ｉＶＤＲ規格のインタフェース接続部２１およびシリアルＡＴＡ規格のインタフェース接続部３１に共通するインタフェース用の複数の端子からなる端子部２（図２参照）を少なくとも備えており、ｉＶＤＲ規格の記憶装置２０およびシリアルＡＴＡ規格の記憶装置３０が接続可能である。
つまり、コネクタ１には、ｉＶＤＲ規格の直線状のインタフェース接続部２１が接続可能であるとともに、シリアルＡＴＡ規格の逆差し防止用の凸部（キー）３２ａ，３３ａを備えた略Ｌ字形状の端子部３２，３３を有するインタフェース接続部３１が接続可能である。
【００２６】
本実施形態では、このように形状の異なる両インタフェース接続部２１，３１を接続可能とするために、コネクタ１の端子部２には、図１，図２に示すような縦溝からなる、２つの逃げ溝３，４が凹設されている。これらの逃げ溝３，４は、シリアルＡＴＡ規格の逆差し防止用の凸部３２ａ，３３ａの形成位置に対応しており、当該凸部３２ａ，３３ａが挿入される大きさを備えている。
つまり、シリアルＡＴＡ規格のインタフェース接続部３１と接続される場合に、凸部３２ａが逃げ溝３内に逃がされ、また、前記凸部３３ａが逃げ溝４内に逃がされるようになっており、これらの凸部３２ａ，３３ａが接続の邪魔にならない構成となっている。
【００２７】
ここで、図４を参照して、コネクタ１の端子配列について説明する。
はじめに、コネクタ１は、両規格に共通する端子群（共通するインタフェース用の複数の端子）として、第１番から第７番の端子群Ａ１と、第１５番から第２０番の端子群Ｂ１とを備えている。このうち端子群Ａ１は、シリアル信号の入出力に対応した端子群であり、また、端子群Ｂ１は、供給する電源に係る端子群である。これらの端子群Ａ１、Ｂ１は、ｉＶＤＲ規格およびシリアルＡＴＡ規格のインタフェース接続部２１，３１に共通して対応している。
【００２８】
次に、コネクタ１の第８番から第１１番の端子群Ｃ１は、ＮＣ状態（非接続状態、Non Connection）となっており、本実施形態では、第９番、第１０番の端子を残して、第８番および第１１番の端子に相当する部分に、前記した逃げ溝３，４が形成されている。つまり、逃げ溝３，４は、ＮＣ状態の端子群Ｃ１を利用して形成されている。なお、第９番、第１０番の端子は、ｉＶＤＲ規格のインタフェース接続部２１との接続時に、インタフェース接続部２１側の第９番、第１０番の端子と接続するようになっている。これによって、将来的にｉＶＤＲ規格の記憶装置２０を接続する場合に、これらの端子を利用した信号の入出力を行うことも可能である。
【００２９】
ここで、コネクタ１の第８番から第１１番に対応するｉＶＤＲ規格のインタフェース接続部２１では、将来的に使用される端子として予約されている。本実施形態では、ポートＢを未使用としており、前記したようにコネクタ１側の端子群Ｃ１がＮＣ状態であることに問題はない。なお、将来的に、第９番、第１０番や第１２番から第１４番までの端子を利用した、ＵＳＢ（Universal Serial Bus）等の種々の接続規格等に対応した用途として信号の入出力を行うことも可能である。
一方、コネクタ１の第８番から第１１番に対応するシリアルＡＴＡ規格のインタフェース接続部３１では、これらに対応する端子はもともと存在しておらず、第８番の端子に対応する部位に前記した凸部３２ａが位置しており、また、第１１番の端子に対応する部位に前記した凸部３３ａが位置している。
【００３０】
次に、コネクタ１の第１２番から第１４番の端子群Ｄ１は、ＮＣ状態（非接続状態、Non Connection）となっている。
ここで、これに対応するｉＶＤＲ規格のインタフェース接続部２１では、前記したようにポートＢの一部が割り当てられている。本実施形態では、記憶装置２０がポートＢを使用しないので、コネクタ１側の端子群Ｄ１がＮＣ状態とされていることに問題はない。
一方、これに対応するシリアルＡＴＡ規格のインタフェース接続部３１では、３．３Ｖの電源が割り当てられている。本実施形態では、記憶装置３０が２．５型のハードディスクドライブを備えおり、３．３Ｖの電源が不必要であるため、コネクタ１の端子群Ｄ１が前記したようにＮＣ状態であることに問題はない。
なお、３．３Ｖの電源が必要なハードディスクドライブを内蔵したシリアルＡＴＡ規格の他の記憶装置を接続する際には、これに対応してコネクタ１の第１２番から第１４番に３．３Ｖの電源を割り当てるようにすればよい。
【００３１】
次に、コネクタ１の第２１番から第２６番の端子群Ｅ１は、接続される規格に対応して仕様が変更される端子群である。端子群Ｅ１は、接続される規格に対応して第２１番から第２５番までの端子の仕様が変更可能である。また、端子群Ｅ１の第２６番の端子は、ＮＣ状態となっている。
ここで、この端子群Ｅ１に対応するｉＶＤＲ規格のインタフェース接続部２１では、第２１番の端子から順に、ＰＯＷＥＲＩＤ０（パワーＩＤ）、ＰＯＷＥＲＩＤ１（パワーＩＤ）、Ｉ／ＦＩＤ０（インタフェースＩＤ）、Ｉ／ＦＩＤ１（インタフェースＩＤ）、Ｉ／ＦＩＤ２（インタフェースＩＤ）、ＲＳＶの端子となっており、ｉＶＤＲ規格のＩＤに係る端子が割り当てられている。
本実施形態では、第２１番、第２２番の端子を通じてコネクタ１側に入力されるパワーＩＤ信号０、１がそれぞれ論理“１”、“１”のときに、アダプタ装置１０側で、コネクタ１の第１８番から第２０番に５Ｖの電源を供給するように設定され、また、ＩＤがこれ以外であるときには、コネクタ１の第１８番から第２０番がＮＣ状態となるように設定されている。
また、本実施形態では、第２３番から第２５番の端子を通じてコネクタ１側に入力されるインタフェースＩＤ信号０、１、２が論理“０”、“１”、“１”のときに、アダプタ装置１０側で、ポートＡのみの使用、つまりポートＢは使用しない記憶装置２０であることが、アダプタ装置１０側に認識されるように設定されている。
【００３２】
このような端子配列を有するコネクタ１に対するｉＶＤＲ規格のインタフェース接続部２１の接続は、図３（ａ）に示すように、コネクタ１に形成される直線状の空間部Ｋに対して、直線状のインタフェース接続部２１を挿入することにより行う。
つまり、インタフェース接続部２１をコネクタ１の空間部Ｋに挿入すると、コネクタ１側に形成された逃げ溝３，４部分を除いて、インタフェース接続部２１の端子における、第１番から第７番の端子、第９番、第１０番の端子、第１２番から第２６番の端子が、コネクタ１側の対応する端子にそれぞれ当接して、インタフェース接続部２１とコネクタ１を介して記憶装置２０（図１参照）がアダプタ装置１０（図１参照）に接続される。
【００３３】
また、コネクタ１に対するシリアルＡＴＡ規格のインタフェース接続部３１の接続は、図３（ｂ）に示すように、コネクタ１に形成される逃げ溝３，４に、インタフェース接続部３１の凸部３２ａ，３３ａをそれぞれ逃がすようにして、各端子部３２，３３をコネクタ１の空間部Ｋに対して挿入することにより行う。
つまり、インタフェース接続部３１の端子部３２，３３をコネクタ１の空間部Ｋに挿入すると、コネクタ１側に形成された逃げ溝３，４部分に凸部３２ａ，３３ａが挿入され、インタフェース接続部３１の端子部３２における第１番から第７番の端子、および端子部３３における第１２番から第２６番の端子が、コネクタ１側の対応する端子にそれぞれ当接して、インタフェース接続部３１とコネクタ１を介して記憶装置３０（図１参照）がアダプタ装置１０（図１参照）に接続される。
【００３４】
次に、このようなコネクタ１を有するアダプタ装置１０について説明する。
アダプタ装置１０は、図１に示すように、前面に挿入口１１ａを有するケース１１と、ケース１１内の制御基板Ｃに実装された制御装置１２とを備えている。コネクタ１は、制御基板Ｃの端部に取り付けられて、記憶装置２０，３０のインタフェース接続部２１，３１と接続可能に、挿入口１１ａ内に配置されている。
【００３５】
制御装置１２は、記憶装置２０，３０の制御、およびこれらの記憶装置２０，３０とホスト側の図示しないコンピュータとの間のデータ通信の制御を行う等の機能を有しており、図５に示すように、ｉＶＤＲ規格に対応した通信を行う第１入力部１３と、シリアルＡＴＡ規格に対応した通信を行う第２入力部１４と、第１入力部１３または第２入力部１４を選択する入力選択部１５と、接続された記憶装置２０（３０）のインタフェース接続部２１（３１）が、ｉＶＤＲ規格であるのかシリアルＡＴＡ規格であるのかを識別する識別手段の一部を構成する識別部１６とを備えている。
【００３６】
制御基板Ｃの端部には、スイッチＳＷ１が配置されている。また、図１に示すように、ケース１１の挿入口１１ａ内の側面には、スイッチＳＷ２が配置されている。
スイッチＳＷ１，ＳＷ２は、いずれも押圧されることでＯＮ（またはＯＦＦ）するマイクロスイッチである。スイッチＳＷ１は、挿入口１１ａから挿入された記憶装置２０（３０）の筐体に押圧されて、信号を制御装置１２の識別部１６に送出し、記憶装置２０（３０）の装着完了を検出する装着確認手段として機能するものである。
【００３７】
記憶装置２０（３０）の先端部には、スイッチＳＷ１に対向して押圧壁２０ａが形成されている。押圧壁２０ａは、図６（ａ）に示すように、記憶装置２０（３０）を挿入口１１ａに挿入してインタフェース接続部２１をコネクタ１へ装着した際に、スイッチＳＷ１に当接してこれを押圧するように設定されている。
【００３８】
また、スイッチＳＷ２は、挿入口１１ａから挿入された記憶装置２０（３０）がｉＶＤＲ規格であるのかシリアルＡＴＡ規格であるのかを識別するためのものである。スイッチＳＷ２は、押圧されたときに信号を制御装置１２の識別部１６に送出するようになっている。識別部１６は、スイッチＳＷ２からの信号が入力されない初期状態において、シリアルＡＴＡの記憶装置３０に対応した入力設定、つまり、入力選択部１５がシリアルＡＴＡ規格に対応した通信を行う第２入力部１４を選択するように設定されており、スイッチＳＷ２からの信号が入力された場合に、ｉＶＤＲ規格のインタフェース接続部２１を有する記憶装置２０であると識別して、入力選択部１５がｉＶＤＲ規格に対応した通信を行う第１入力部１３を選択するように設定されている。
【００３９】
記憶装置３０の筐体の側部には、スイッチＳＷ２に対向する部位に規格識別情報としての凹部３４（図１参照）が形成されており、アダプタ装置１０に対して記憶装置３０が完全に装着された状態で、スイッチＳＷ２がこの凹部３４内に位置するように構成され、スイッチＳＷ２が押圧されないように構成されている。つまり、図６（ｂ）に示すように、記憶装置３０が接続されたときには、スイッチＳＷ２が押圧されないので、接続されたものがシリアルＡＴＡ規格の記憶装置３０であると識別される。
また、図６（ａ）に示すように、このような凹部３４を有さない記憶装置２０が接続されたときには、記憶装置２０の筐体の側部によってスイッチＳＷ２が押圧された状態となり、図５に示すように、その信号が識別部１６に送出されて、識別部１６によりｉＶＤＲ規格の記憶装置２０であることが識別されることとなる。つまり、アダプタ装置１０の挿入口１１ａに記憶装置２０が挿入されると、スイッチＳＷ２が押圧され、インタフェース部２１がコネクタ１に接続される前段階、すなわち、信号端子や電源が接続される前段階においてｉＶＤＲ規格であることが識別されて、入力選択部１５が第１入力部１３を選択するようになっている。
【００４０】
図５を再び参照して説明すると、識別部１６による識別結果は、入力選択部１５に送出され、入力選択部１５は、この送出されてきた結果に基づいて、第１入力部１３または第２入力部１４を選択する。つまり、入力選択部１５は、スイッチＳＷ２が押圧されて（図６（ａ）参照）、識別部１６がその識別結果を送出してきたときには、第１入力部１３を選択して、ｉＶＤＲ規格の通信が行われるように設定するとともに、スイッチＳＷ２が押圧されずに、（図６（ｂ）参照）、識別部１６がその識別結果を送出してきたときには、第２入力部１４を選択して、シリアルＡＴＡ規格の通信が行われるように設定する。
【００４１】
また、図示はしないが、スイッチＳＷ２のみを設けて、ｉＶＤＲ規格の記憶装置２０とシリアルＡＴＡ規格の記憶装置３０とを識別するようにしてもよい。この場合には、スイッチＳＷ１に代わる記憶装置２０（３０）の完全装着を確認する手段として、例えば、識別部１６による規格識別後に、第２１番、第２２番の端子を通じてコネクタ１側に入力されるパワーＩＤ信号０、１がそれぞれ論理“１”、“１”のときに、ｉＶＤＲ規格の記憶装置２０であることがアダプタ装置１０側に認識されるようにしてもよい。
また、第２１番の端子を通じてコネクタ１側に入力されるパワーＩＤ信号０がＧＮＤ（Ground）を示す“０”であるときに、シリアルＡＴＡ規格の記憶装置３０であることがアダプタ装置１０側に認識されるようにしてもよい。
この場合には、スイッチＳＷ２のみの設置で済むので、コストの低減を図ることができる。
【００４２】
以上説明した本実施形態のコネクタ１によれば、ｉＶＤＲ規格およびシリアルＡＴＡ規格に共通するインタフェース用の複数の端子からなる端子部２を少なくとも備えているので、ｉＶＤＲ規格およびシリアルＡＴＡ規格の記憶装置２０，３０に共用して接続することができ、これらの記憶装置２０，３０との間で信号の入出力を行うことができる。
【００４３】
端子部２には、シリアルＡＴＡ規格のインタフェース接続部３１に設けられた凸部３２ａ，３３ａが挿入される逃げ溝３，４が凹設されているので、シリアルＡＴＡ規格のインタフェース接続部３１を有する記憶装置３０を接続する際には、この逃げ溝３，４に、当該凸部３２ａ，３３ａを位置合わせして挿入することにより、逃げ溝３，４内に当該凸部３２ａ，３３ａを逃がすことができ、これによってシリアルＡＴＡ規格のインタフェース接続部３１を接続することができる。
【００４４】
また、本実施形態のアダプタ装置１０によれば、入力選択部１５をｉＶＤＲ規格に対応した第１入力部１３、またはシリアルＡＴＡ規格に対応した第２入力部１４に切り替えることによって、ｉＶＤＲ規格に対応した信号の入出力またはシリアルＡＴＡ規格に対応した信号の入出力を行うことができ、１台で２つの規格に対応した信号の入出力を行うことができる情報処理装置１０を安価に得ることができる。
【００４５】
また、アダプタ装置１０によれば、識別部１６は、記憶装置２０，３０側に備わる規格識別情報をスイッチＳＷ２のＯＮ・ＯＦＦで検出して、ｉＶＤＲ規格であるのかシリアルＡＴＡ規格であるのかを識別するようになっており、また、入力選択部１５は、識別部１６によって識別された規格に基づいて、第１入力部１３または第２入力部１４を選択するようになっているので、記憶装置２０，３０側に備わる規格識別情報を利用した入力の選択が自動的に行われ、選択された規格に基づく信号の入出力を好適に行うことができる。したがって、規格の識別を簡易な構成により実現することができ、コストの低減されたアダプタ装置１０が得られる。
【００４６】
また、ｉＶＤＲ規格であるのかシリアルＡＴＡ規格であるのかをスイッチＳＷ２で識別しているので、規格の識別が簡単であり、識別した規格に対応する入力が行われるように第１，第２入力部１３，１４を選択する構成を、低コストで実現することができる。
なお、スイッチＳＷ２に代えて、電波による個体識別技術、例えば、ＲＦＩＤ（Radio Frequency Identification）等を利用することで規格を識別するように構成してもよい。
【００４７】
なお、前記実施形態では、２つの逃げ溝３，４を端子部２に設けたが、これに限られることはなく、図７に示すように、コネクタ１’の第８番の端子から第１１番の端子に対応する部分全体（図８（ａ）（ｂ）参照）を凹設し、これをひとつの大きな逃げ溝３’として形成してもよい。
【００４８】
この場合にも、図８（ｂ）に示すように、逃げ溝３’内に、凸部３２ａ，３３ａを逃がすことができ、ｉＶＤＲ規格のインタフェース接続部２１を有する記憶装置２０（図８（ａ）参照）、およびシリアルＡＴＡ規格のインタフェース接続部３１を有する記憶装置３０（図８（ｂ）参照）に共用して接続することができるコネクタ１’が得られる。
【００４９】
（第２実施形態）
図９（ａ）は本発明の第２実施形態に係るコネクタの分解斜視図、図９（ｂ）は組み立てた状態の斜視図、図９（ｃ）は図９（ｂ）におけるｂ１−ｂ１線断面図である。
なお、以下の説明において、前記実施形態と同一の部分については同一の符号を付し、詳細な説明は省略する。
【００５０】
図９（ａ）（ｂ）に示すように、本実施形態のコネクタ１Ａが前記第１実施形態と異なるところは、逃げ溝３，４内にｉＶＤＲ規格で配列されたインタフェース用の追加端子５１，５１が出没自在（起倒自在）に配置されている点である。
【００５１】
追加端子５１は、弾性を有する金属製の導電部材（例えば、ばね用燐青銅やベリリウム銅といった銅合金）であり、基部５１ａと、この基部５１ａに連続し、基部５１ａの上側へ鋭角に折曲されて傾斜状とされた折曲部５１ｂと、この折曲部５１ｂに連続する水平部５１ｃとを有している。
なお、金属製の導電部材には、樹脂材料に導電性のメッキ等を施したものであっても、ばね性を有する部材に導電性のメッキ等を施したものであってもよい。
折曲部５１ｂは、図７（ｂ）（ｃ）に示すように、逃げ溝３，４内においてそれぞれ傾斜状に配置され、シリアルＡＴＡ規格のインタフェース接続部３１の凸部３２ａ，３３ａに対向するように設けられる。そして、折曲部５１ｂは、後記するように、コネクタ１Ａにインタフェース接続部３１が接続される際に、凸部３２ａ，３３ａに押圧されて、基部５１ａ側に弾性をもってそれぞれ倒れ込むようになっている。つまり、インタフェース接続部３１との接続時に、折曲部５１ｂは、基部５１ａ側に弾性をもって倒れ込み、逃げ溝３，４内へ凸部３２ａ，３３ａが侵入するのを許容するようになっている。
【００５２】
また、水平部５１ｃは、図９（ｃ）に示すように、逃げ溝３，４に配置された状態で、端子部２に設けた端子２ａ（一部図示）と同じ高さとなるように設定されている。
つまり、このような折曲部５１ｂと水平部５１ｃとを有する追加端子５１は、逃げ溝３，４からそれぞれ突出してｉＶＤＲ規格のインタフェース接続部２１の対応する部位に接続される突出位置と、この突出位置から没位置に移動して、シリアルＡＴＡ規格のインタフェース接続部３１の凸部３２ａ，３３ａの挿入を許容する位置とを採り得るようになっている。
【００５３】
ここで、図１０（ａ）に示すように、ｉＶＤＲ規格のインタフェース接続部２１が接続される場合には、折曲部５１ｂを押圧する部材がインタフェース接続部２１に存在しないので、折曲部５１ｂが基部５１ａ側に倒れ込むことはなく、水平部５１ｃが水平状態に保持される。これによって、水平部５１ｃには、インタフェース接続部２１の端子２１ａが接続される状態となり、この部分を利用した信号の通信（ポートＢを利用した将来的な通信）に対応することが可能となる。
【００５４】
また、図１０（ｂ）に示すように、シリアルＡＴＡ規格のインタフェース接続部３１が接続される場合には、接続に際してインタフェース接続部３１の凸部３２ａ，３３ａが追加端子５１の折曲部５１ｂにそれぞれ当接してこれらを押圧し、折曲部５１ｂを基部５１ａ側に倒すようにして、逃げ溝３，４内に侵入する。これによって、凸部３２ａ，３３ａが、逃げ溝３，４内に逃がされ、インタフェース接続部３１がコネクタ１Ａに接続可能となる。
【００５５】
本実施形態のコネクタ１Ａによれば、逃げ溝３，４に出没自在に配置された追加端子５１が、逃げ溝３，４からそれぞれ突出してｉＶＤＲ規格のインタフェース接続部２１の対応する部位に接続される位置と、突出位置から没位置に移動して、シリアルＡＴＡ規格のインタフェース接続部３１の凸部３２ａ，３３ａの挿入を許容する位置とを採り得るので、ｉＶＤＲ規格およびシリアルＡＴＡ規格のインタフェース接続部２１，３１との接続を可能とするとともに、ｉＶＤＲ規格において追加端子５１を活用した信号の入出力も可能となる。これにより、ｉＶＤＲ規格に基づくインタフェース接続部３１の全ての端子を用いた信号の入出力が可能となり拡張性の高い接続が可能となる。
【００５６】
また、追加端子５１は、弾性を備えているので、インタフェース接続部３１との接続が解除される場合に、その解除に係る一連の動作の中で凸部３２ａ，３３ａが逃げ溝３，４内から引き抜かれると、弾性力によって没位置から突出位置に移動することとなる。したがって、シリアルＡＴＡ規格のインタフェース接続部３１を有する記憶装置３０を接続する際および接続の解除を行う際に、特別な操作を要することなく追加端子５１を突出位置と没位置との間でスムーズに移動させることができ、シリアルＡＴＡ規格のインタフェース接続部３１に対する着脱操作をスムーズに行うことができる。
【００５７】
図１１（ａ）は第２実施形態に係るコネクタの変形例を示す分解斜視図、図１１（ｂ）は組み立てた状態の斜視図、図１１（ｃ）は図１１（ｂ）におけるｂ２−ｂ２線断面図である。
この変形例のコネクタ１Ｂが前記第２実施形態と異なるところは、逃げ溝３，４内にｉＶＤＲ規格で配列されたインタフェース用の追加端子６１がそれぞれ出没自在（スライド移動自在）に配置されている点である。
【００５８】
追加端子６１は、絶縁性のスライド部材６２の上部に、金属製の導電部材６３が載置されてなり、スライド部材６２の下部には、左右に張り出したガイド部６２ａ，６２ａが形成されている。このガイド部６２ａは、逃げ溝３，４内に形成されたガイド溝３ａ，４ａにスライド可能に係合するようになっており、追加端子６１の前後方向のスライドを案内するようになっている。
【００５９】
追加端子６１の後方には、付勢手段としてのばね部材６４がそれぞれ縮設されており、追加端子６１は、このばね部材６４の付勢力によって、通常、逃げ溝３，４内に突出した状態に位置するようになっている。なお、逃げ溝３，４には、追加端子６１の脱落を阻止する図示しないストッパが設けられている。
スライド部材６２，６２は、図１１（ｂ）（ｃ）に示すように、逃げ溝３，４内にそれぞれ配置され、シリアルＡＴＡ規格のインタフェース接続部３１の凸部３２ａ，３３ａに対向するように設けられる。そして、スライド部材６２は、後記するように、コネクタ１Ｂにインタフェース接続部３１が接続される際に、凸部３２ａ，３３ａに押圧され、ばね部材６４の付勢力に抗して、コネクタ１Ｂの後部側に没するようになっている。つまり、インタフェース接続部３１との接続時に、追加端子６１は、コネクタ１Ｂ内にスライドして没し、凸部３２ａ，３３ａの逃げ溝３，４内への侵入を許容するようになっている。
【００６０】
また、導電部材６３は、図１１（ｃ）に示すように、その後端部が、上方へ突出して追加端子６１を収容する収容室６５内に露出して設けられたガイド端子６６に接触している。これにより、導電部材６３からガイド端子６６に信号が正しく伝わるようになっている。
【００６１】
このような追加端子６１は、逃げ溝３，４内に位置して（突出して）ｉＶＤＲ規格のインタフェース接続部２１の対応する部位に接続される突出位置と、この突出位置から没位置にスライド移動して、シリアルＡＴＡ規格のインタフェース接続部３１の凸部３２ａ，３３ａの挿入を許容する位置とを採り得るようになっている。
【００６２】
すなわち、図１２（ａ）に示すように、ｉＶＤＲ規格のインタフェース接続部２１が接続される場合には、追加端子６１が収容室６５に押し込まれることがなく、逃げ溝３，４内に位置する。したがって、導電部材６３には、インタフェース接続部２１の端子２１ａが接続される状態となり、この部分を利用した信号の通信（ポートＢを利用した将来的な通信）に対応することが可能となる。
【００６３】
また、図１２（ｂ）に示すように、シリアルＡＴＡ規格のインタフェース接続部３１が接続される場合には、接続に際してインタフェース接続部３１の凸部３２ａ，３３ａが追加端子６１のスライド部材６２にそれぞれ当接してこれらを押圧し、追加端子６１を収容室６５内に押し込むようにして逃げ溝３，４内に侵入する。これによって、凸部３２ａ，３３ａが、逃げ溝３，４内にそれぞれ逃がされ、インタフェース接続部３１がコネクタ１Ｂに接続される。
【００６４】
このコネクタ１Ｂによれば、逃げ溝３，４に出没自在にそれぞれ配置された追加端子６１が、逃げ溝３，４から突出してｉＶＤＲ規格のインタフェース接続部２１の対応する部位に接続される位置と、突出位置から没位置に移動して、シリアルＡＴＡ規格のインタフェース接続部３１の凸部３２ａ，３３ａの挿入を許容する位置とを採り得るので、ｉＶＤＲ規格およびシリアルＡＴＡ規格のインタフェース接続部２１，３１との接続を可能とするとともに、ｉＶＤＲ規格において追加端子６１を活用した信号の入出力も可能となる。これにより、ｉＶＤＲ規格に基づくインタフェース接続部３１の全ての端子を用いた信号の入出力が可能となり拡張性の高い接続が可能となる。
【００６５】
また、追加端子６１は、没位置から突出位置に付勢するばね部材６４を備えているので、当該インタフェース接続部３１との接続が解除される場合に、その解除に係る一連の動作の中で凸部３２ａ，３３ａが逃げ溝３，４内から引き抜かれると、これに連動してばね部材６４により没位置から突出位置に移動する。したがって、シリアルＡＴＡ規格のインタフェース接続部３１を有する記憶装置３０を接続する際および接続の解除を行う際に、特別な操作を要することなく追加端子６１を突出位置と没位置との間で移動させることができ、その分、シリアルＡＴＡ規格のインタフェース接続部３１に対する着脱操作をスムーズに行うことができる。
【００６６】
前記実施形態では、スイッチＳＷ２等のＯＮ・ＯＦＦによって、規格を識別するように構成したが、これに限られることはない。
例えば、図４の端子の割り当てを示す表にあるように、ｉＶＤＲ規格のインタフェース接続部２１における第２１番、第２２番の端子を通じてコネクタ１側に入力されるパワーＩＤ信号０、１がそれぞれ論理“１”、“１”のときに、接続されたものがｉＶＤＲ規格のインタフェース接続部２１を有する記憶装置２０であると識別回路により識別し、入力選択部１５が第１入力部１３を選択するように構成してもよい。
また、第２３番から第２５番の端子を通じてコネクタ１側に入力されるインタフェースＩＤ信号０、１、２が論理“０”、“１”、“１”のときに、接続されたものがｉＶＤＲ規格のインタフェース接続部２１を有する記憶装置２０であると識別回路により識別し、入力選択部１５が第１入力部１３を選択するように構成してもよい。
さらに、また、シリアルＡＴＡ規格のインタフェース接続部３１における第２１番、第２２番の端子を通じてコネクタ１側に入力されるＧＮＤ、ＲＳＶ信号が論理“０”、“１”であるときに、シリアルＡＴＡ規格のインタフェース接続部３１を有する記憶装置３０であると識別回路により識別し、入力選択部１５が第２入力部１４を選択するように構成してもよい。
【００６７】
また、アダプタ装置１０側におけるスイッチＳＷ２の設置位置、およびこのスイッチＳＷ２に対応して記憶装置３０側に設けられる凹部３４の形成位置は、これらが対応して設けられていればよく、アダプタ装置１０および記憶装置３０の適宜の位置に設けることができる。
【００６８】
前記実施形態では、入力選択部１５が第１入力部１３または第２入力部１４を選択する構成としたが、これに限られることはなく、アダプタ装置１０に切り替えスイッチ等を設けて、この切り替えスイッチ等を手動操作することにより切り替えるように構成してもよい。
【００６９】
また、コネクタ１に接続されるシリアルＡＴＡのインタフェース接続部３１は、一体的な形状としたものについて説明したが、これに限られることはなく、本発明のコネクタ１では、略Ｌ字形状の端子部３２，３３毎に別体に形成されたものでも好適に接続することができる。
【符号の説明】
【００７０】
１      コネクタ
１Ａ    コネクタ
１Ｂ    コネクタ
２      端子部
３，４      逃げ溝
１０    アダプタ装置（情報処理装置）
１２    制御装置
１３    第１入力部
１４    第２入力部
１５    入力選択部
１６    識別部（識別手段）
２０，３０    記憶装置
２１，３１    インタフェース接続部
３２ａ，３３ａ  凸部
５１，６１    追加端子
６３    導電部材
６４    ばね部材（付勢手段）
６５    収容室
ＳＷ１  スイッチ（装着確認手段）
ＳＷ２  スイッチ（識別手段）
【図１】
2010244853.tif 000003
【図２】
2010244853.tif 000004
【図３】
2010244853.tif 000005
【図４】
2010244853.tif 000006
【図５】
2010244853.tif 000007
【図６】
2010244853.tif 000008
【図７】
2010244853.tif 000009
【図８】
2010244853.tif 000010
【図９】
2010244853.tif 000011
【図１０】
2010244853.tif 000012
【図１１】
2010244853.tif 000013
【図１２】
2010244853.tif 000014